(57)【要約】 【課題】  手動式の防水扉装置において、止水幅が大きくても対応でき、防水扉の操作性がよい防水扉装置を提供するものである。【解決手段】  防水扉１を互いに独立している複数の分割防水扉１Ｌ，１Ｒで構成する。隣接する一方の分割防水扉１Ｌの隣接側端部１ｃに、連結部材４０を係脱装置５９により装着する。このとき係脱装置５９により連結部材４０が引込まれ、シール部材５８が一方の分割防水扉１Ｌの隣接側端部１ｃの分割防水扉起立側面に水密に圧着される。連結部材４０を装着した一方の分割防水扉１Ｌを起立位置とした後、他方の分割防水扉１Ｒを起立して連結部材のシール部材５８に水密に圧接し、出入口からの浸水を防止する。【選択図】  図１６
2006265998.tif 000002
【特許請求の範囲】
【請求項１】
出入口の床面に設ける収納凹部に防水扉の基部をヒンジ装置により収納凹部の開口を塞ぐ傾倒位置と出入口の通行部を塞ぐ起立位置とに起倒可能に設け、防水扉を起立させて出入口からの浸水を防止するようにした防水扉装置において、防水扉を互いに独立している複数の分割防水扉によって構成し、互いに隣接する一方の分割防水扉の隣接側端部に着脱可能な連結部材を備え、その連結部材に一方の分割防水扉の隣接側端部に圧着すると共に隣接する分割防水扉の起立位置で他方の分割防水扉の隣接側端部に圧着して両者間の隙間を塞ぐシール材を備えたことを特徴とする防水扉装置。
【請求項２】
一方の分割防水扉の分割防水扉傾倒側に係脱装置を他方の分割防水扉の傾倒動作を妨げないように設け、係脱装置により一方の分割防水扉の隣接側端部に連結部材を着脱するようにしたことを特徴とする請求項１記載の防水扉装置。
【請求項３】
係脱装置を、引掛部材をラッチレバーで引きこみ可能なラッチ金具で構成し、連結部材に、一方の分割防水扉への装着状態で起立した分割防水扉の隣接側端部間を横切るように形成した連結板部と、連結板部の分割防水扉起立側端部に分割防水扉の分割防水扉起立側面に対面するように設けたシール保持部と、連結板部の分割防水扉傾倒側端部に他方の分割防水扉の傾倒を妨げないように設けた掛止部を備え、掛止部をラッチ金具で引込んでシール保持部に保持したシール部材を分割防水扉の分割防水扉起立側面に圧着させて連結部材を分割防水扉に装着するようにしたことを特徴とする請求項２記載の防水扉装置。
【請求項４】
連結部材に分割防水扉の隣接側端部の上端部に当接して連結部材の扉縦方向を位置決め可能な当接部を備えていることを特徴とする請求項１乃至３の何れか１項に記載の防水扉装置。
【請求項５】
互いに隣接する一方の分割防水扉の隣接側端部に分割防水扉起立側に位置する引掛部を設け、その引掛部と収納凹部の内面を連結して分割防水扉の起立位置から起立方向へ回動するのを阻止可能な起立支持部材を備え、その起立支持部材を分割防水扉の傾倒状態で収納凹部に収納可能にしたことを特徴とする請求項１乃至４の何れか１項に記載の防水扉装置。
【請求項６】
ヒンジ装置を、分割防水扉を傾倒位置から起立させる際に、分割防水扉の基部を収納凹部の分割防水扉起立側面から一時的に離反させた後で収納凹部の分割防水扉起立側面に接近させるように構成し、分割防水扉の基部を収納凹部の分割防水扉起立側面から一時的に離反させた起立途中状態を維持可能な中間停止手段を備え、分割防水扉の基部を収納凹部の分割防水扉起立側面から一時的に離反させた起立途中状態で分割防止扉の隣接側端部に連結部材を装着可能にしたことを特徴とする請求項１〜５の何れか１項に記載の防水扉装置。
【発明の詳細な説明】
【技術分野】
【０００１】
この発明は、出入口の床面の収納凹部を塞ぐ傾倒位置と、出入口の通行部を塞ぎ浸水を防止する起立位置とにヒンジ装置により起倒可能に設けられる防水扉を備えた防水扉装置に係るものである。
【背景技術】
【０００２】
浸水を防止するため出入口を閉鎖する防水扉装置として、１つの防水扉を出入口の床面に設けた収納凹部にヒンジ装置で起倒可能に設け、収納凹部に倒伏して収納された状態から出入口を閉鎖する起立した状態に手動ではね上げるものがある。このような防水扉装置として、例えば特許文献１に記載のものが公知である。特許文献１のような防水扉装置では、手動での防水扉の跳ね上げを容易とするために防水扉を起立方向に付勢するバネ等の付勢部材を備えた起立補助装置を備えている。
【０００３】
また、出入口の浸水防止用の防水扉装置として特許文献２に記載のものも公知である。このものでは、出入口の止水幅に合わせて、床面上に中間支柱を床面に設けたアンカへ立設し、別途保管していた複数の防水板を中間支柱と出入口の壁面の支柱間に差し込んで出入口を閉鎖している。この中間支柱が立設されるアンカは、平常時にはボルトキャップなどを取付けて閉鎖されている。
【０００４】
【特許文献１】特開平１０−２３８２４０号公報
【特許文献２】特開２００３−２７８４５８号公報
【発明の開示】
【発明が解決しようとする課題】
【０００５】
上記の特許文献１に記載の防水扉装置では、出入口の幅の広い場合には、防水扉の止水幅が大きくなる問題があり、防水扉が大きくなると重量が重くなる問題がある。そのため、起立補助装置を備えてはいるが、手動で操作できる防水扉の大きさには限度があり、手動によりはね上げ操作できる防水扉を設置可能な出入口の幅に制限があった。また、重量が重い防水扉では迅速に起倒操作を行えない問題がある。
また、特許文献２に記載の防水扉装置のように、中間支柱を用いているものでは、中間支柱を立てるためのアンカを床面に設けなければならない問題がある。中間支柱を立設する際にはアンカに固定ボルトにより締結固定するため、出入口の閉鎖に時間がかかることになり、迅速に行えない問題がある。また、アンカは平常時にはキャップにより塞がれているため、このキャップが、交通の頻度の多い出入口では、外れてなくなる恐れがあり、その場合、床面が平坦にならない問題がある。
この発明は、手動式の防水扉装置において、止水幅が大きくても対応でき、防水扉の操作性がよい防水扉装置を提供するものである。
【課題を解決するための手段】
【０００６】
本発明は、出入口の床面に設ける収納凹部に防水扉の基部をヒンジ装置により収納凹部の開口を塞ぐ傾倒位置と出入口の通行部を塞ぐ起立位置とに起倒可能に設け、防水扉を起立させて出入口からの浸水を防止するようにした防水扉装置において、防水扉を互いに独立している複数の分割防水扉によって構成し、互いに隣接する一方の分割防水扉の隣接側端部に着脱可能な連結部材を備え、その連結部材に一方の分割防水扉の隣接側端部に圧着すると共に隣接する分割防水扉の起立位置で他方の分割防水扉の隣接側端部に圧着して両者間の隙間を塞ぐシール材を備えたことを特徴とする。
【０００７】
また、本発明は、一方の分割防水扉の分割防水扉傾倒側に係脱装置を他方の分割防水扉の傾倒動作を妨げないように設け、係脱装置により一方の分割防水扉の隣接側端部に連結部材を着脱するようにしたことを特徴とする。
【０００８】
また、本発明は、係脱装置を、引掛部材をラッチレバーで引きこみ可能なラッチ金具で構成し、連結部材に、一方の分割防水扉への装着状態で起立した分割防水扉の隣接側端部間を横切るように形成した連結板部と、連結板部の分割防水扉起立側端部に分割防水扉の分割防水扉起立側面に対面するように設けたシール保持部と、連結板部の分割防水扉傾倒側端部に他方の分割防水扉の傾倒を妨げないように設けた掛止部を備え、掛止部をラッチ金具で引込んでシール保持部に保持したシール部材を分割防水扉の分割防水扉起立側面に圧着させて連結部材を分割防水扉に装着するようにしたことを特徴とする。
【０００９】
また、本発明は、連結部材に分割防水扉の隣接側端部の上端部に当接して連結部材の扉縦方向を位置決め可能な当接部を備えていることを特徴とする。
【００１０】
また、本発明は、互いに隣接する一方の分割防水扉の隣接側端部に分割防水扉起立側に位置する引掛部を設け、その引掛部と収納凹部の内面を連結して分割防水扉の起立位置から起立方向へ回動するのを阻止可能な起立支持部材を備え、その起立支持部材を分割防水扉の傾倒状態で収納凹部に収納可能にしたことを特徴とする。
【００１１】
また、本発明は、ヒンジ装置を、分割防水扉を傾倒位置から起立させる際に、分割防水扉の基部を収納凹部の分割防水扉起立側面から一時的に離反させた後で収納凹部の分割防水扉起立側面に接近させるように構成し、分割防水扉の基部を収納凹部の分割防水扉起立側面から一時的に離反させた起立途中状態を維持可能な中間停止手段を備え、分割防水扉の基部を収納凹部の分割防水扉起立側面から一時的に離反させた起立途中状態で分割防止扉の隣接側端部に連結部材を装着可能にしたことを特徴とする。
【発明の効果】
【００１２】
本願の請求項１の発明によれば、分割防水扉の数を増やすことで防水扉の長さを容易に長くできて防水扉による止水幅を長くでき、幅の大きな出入口にも容易に対応できる。また、止水幅の大きい長い防水扉であっても、分割防水扉を個別に起倒操作することで、分割防水扉を小さい力で容易に起倒操作でき、手動による起倒操作にも対応できる。よって、防水扉を一人でも容易にかつ迅速に起倒操作でき、緊急の止水に適応できる。しかも、隣接する分割防水扉の隣接側端部間を一方の分割防水扉の隣接側端部に着脱可能な連結部材で塞ぐようにしたので、防水扉を傾倒位置に位置させた収納状態では連結部材を収納凹部に収納することができ、防水扉の上面を平坦にして通行を容易にできるし、床面に連結部材を起立させる支持穴の工事も省くことができ、設置コストを低くできる。
【００１３】
また、請求項２の発明によれば、一人であっても分割防水扉を個別に起倒操作することができ、止水幅の大きい長い防水扉を容易にかつ迅速に操作して緊急の止水に対応できる。
【００１４】
また、請求項３の発明によれば、一方の分割防水扉の隣接側端部に連結板部を当て付けてラッチ金具で分割防水扉傾倒側へ引込むことで、分割防水扉に連結板部を簡易迅速に装着でき、また、ラッチ金具による引込みを解除することで分割防水扉から連結板部を簡易迅速に離脱でき、連結板部の着脱を簡易な構成で容易にかつ迅速にできる。
【００１５】
また、請求項４の発明によれば、連結部材の当接部を分割防水扉の隣接側端部の上端部に当接させて連結部材を分割防水扉の隣接側端部に位置決めでき、連結部材を分割防水扉に容易に装着できる。
【００１６】
また、請求項５の発明によれば、分割防水扉を個別に起立させることで、一方の分割防水扉に装着した連結部材のシール部材に一方の分割防水扉を容易に圧着させることができる。
【００１７】
また、請求項６の発明によれば、収納凹部の分割防水扉起立側面に下部シール材を設けている場合でも、分割防水扉への連結部材の装着作業を容易にでき、しかも、下部シール材へ分割防水扉や連結部材を強く圧着できてシール効果を高くできる。
【実施例】
【００１８】
本願発明の実施例について図１〜図１７により説明する。尚、図３、図９では一方の分割防水扉のみ示しており、図１５、図１７において破線で示す斜線は後述のシール部材を表している。防水扉装置９は、互いに独立している複数（本実施例では２つ）の分割防水扉１Ｌ、１Ｒから構成される防水扉１と、出入口の通行部の床面Ｆに設けられた収納凹部６に設置されたケース２と各分割防水扉１Ｌ、１Ｒの基部１ａとの間に設けられたケース２の開口を閉塞する倒伏した状態（図２の傾倒位置Ａにある状態）と出入口の通行部を閉塞する起立した状態（図４の起立位置Ｂにある状態）とに各分割防水扉１Ｌ、１Ｒを傾倒可能とするヒンジ装置１０と、各分割防水扉１Ｌ、１Ｒを起立方向に付勢する起立補助装置８と、起立した各分割防水扉１Ｌ、１Ｒをケース２の前板２ａ側、即ち分割防水扉起立側の左右に立設された扉枠４の垂直シール部材３ａに押し付けた状態でロックするロック装置２０とを備え、各分割防水扉１Ｌ、１Ｒが起立状態となるとき互いに隣接する分割防水扉１Ｌ、１Ｒが連結部材５により連結されるようになっている。
【００１９】
ケース２には、ケース２に沿って縁材２ｄが取付けられており、ケース２の前板２ａの分割防水扉起立側面には、止水幅方向に、即ち左右の扉枠４，４間に亘る下部シール部材３ｂが縁材２ｄよりケース２内に突出するように水平に取付けられ、その下部シール部材３ｂの両端部と、前記左右の垂直シール部材３ａの下端部とが連続させてある。また、ケース２の後板２ｂには傾倒位置Ａにある分割防水扉１Ｌ、１Ｒの先端部１ｂを支持する支持材７が取り付けてある。分割防水扉１Ｌ、１Ｒは止水幅方向に並設され、各分割防水扉１Ｌ、１Ｒの基部１ａの止水幅方向の両端部分には切欠部が形成されており、分割防水扉１Ｌ，１Ｒが傾倒位置Ａにあるとき、垂直シール部材３ａと分割防水扉１Ｌ，１Ｒの対応する端部分とが干渉しないようになっている。
【００２０】
ヒンジ装置１０について説明する。ヒンジ装置１０は、各分割防水扉１Ｌ，１Ｒの止水幅方向両側に設けられる。ケース２の底板（固定部分）２ｃには、前板２ａ側にベース板１８を介して夫々固定ベース１１が固定的に配置されている。各固定ベース１１には、図５に示すように当接部１２ａの止水幅方向両側に一体に相対向する一対の可動ブラケット１２ｂを立設した断面が略Ｕ字形状の可動ベース１２の先端が支持軸１３により分割防水扉１Ｌ，１Ｒの起倒方向に揺動可能に枢着されている。その可動ベース１２の中間部（支持軸１３より分割防水扉先端部１ｂ側）には、リンク動作固定部１４ａを備えた第１リンク１４の下端部を可動ブラケット１２ｂの間に入れた状態で回動自在にピン連結している。可動ベース１２の後端部分には、前記第１リンク１４長より長く設定してある第２リンク１５の下端部を可動ブラケット１２ｂ間に入れた状態で回動自在にピン連結してある。分割防水扉１Ｌ，１Ｒの背面（分割防水扉傾倒側の面）に固着された断面コ字形状のチャンネル材２６に一体固着する扉取付部材１６に、前記第１、第２リンク１４，１５の他端部が枢着されている。このリンク構造のヒンジ装置１０を分割防水扉１Ｌ，１Ｒの基部１ａに連結したことで、分割防水扉１Ｌ，１Ｒの先端部１ｂを起立方向へ揺動させると、第１、第２リンク１４，１５のリンク動作によって分割防水扉１Ｌ，１Ｒの基部１ａが扉枠４から離れるように後退し、第１リンク１４のリンク動作固定部１４ａが当接部１２ａに当接すると、第１、第２リンク１４，１５のリンク動作が固定され、扉枠４から離れるように後退していた分割防水扉１Ｌ，１Ｒの基部１ａの動作が停止する（図３）。これ以降は、支持軸１３を中心として第１、第２リンク１４，１５と共に可動ベース１２が扉枠４に向けて揺動することで、分割防水扉１Ｌ，１Ｒの基部１ａが扉枠４に向けて回動されるようになっている（図４）。
【００２１】
次にロック装置２０について図１〜４及び図６により説明する。ロック装置２０は、各分割防水扉１Ｌ，１Ｒの止水幅方向両側に設けられる。ケース２の底板２ｃには、後板２ｂ側にベース板１８を介して夫々ブラケット２２が固定的に配置されている。ブラケット２２には、ロックバー２３の基端部２４が球面軸受を介して連結されており、ロックバー２３が所定の角度範囲内で任意の方向に傾動可能となっている。前記チャンネル材２６の下面には板部材２７を介して止水幅方向に一対の案内レール２９が取り付けられ、板部材２７と案内レール２９との間には扉縦方向（分割防水扉の基部１ａと先端部１ｂ間方向）に溝３０が形成されている。その溝３０にはスライド部材３１が扉縦方向に移動可能に挿入されている。スライド部材３１の先端側（分割防水扉の先端部１ｂ側）にはロックバー２３先端の係脱部である第１軸部材３２が止水幅方向と平行に取り付けられている。また、スライド部材３１の先端側には、前記第１軸部材３２に係合したロックバー２３先端が干渉しないように切り欠き部３３が形成されている。ロックバー２３先端には前記第１軸部材３２に係脱可能な溝３４が形成されている。
【００２２】
前記チャンネル材２６には、スライド部材３１に対して分割防水扉１Ｌ，１Ｒの基部１ａ側となる位置にハンドル３６を回動するように設け、そのハンドル３６は前記スライド部材３１とハンドル軸３７、揺動アーム３８、リンク部材３９から成る連結部材４０で連繋されている。チャンネル材２６に回動自在に支持されたハンドル軸３７には左右一対の揺動アーム３８が一体的に取り付けてあり、左右の揺動アーム３８の先端はピン部材４１によって連結されている。そのピン部材４１にはＬ字状のリンク部材３９の後端が回動自在に連結されている。リンク部材３９の先端は、スライド部材３１の後端側（分割防水扉基部１ａ側）に取り付けられた第２軸部材４２に回動自在に連結されている。このことから、ハンドル３６の回動により連結部材４０を介してスライド部材３１が扉縦方向に移動するようになっている。分割防水扉１Ｌ，１Ｒの背面には、分割防水扉１Ｌ，１Ｒの揺動中に前記ハンドル３６が回動しないように図示しない保持具が設置されている。
【００２３】
次に起立補助装置８について説明する。起立補助装置８は、夫々の分割防水扉１Ｌ，１Ｒに対して設けられており、分割防水扉１Ｌ，１Ｒが傾倒位置Ａから分割防水扉１Ｌ，１Ｒの基部１ａが扉枠４から離れる後退移動から扉枠４に向けて近づく回動に転じる所定の起立角度位置Ｃまでの間にあるとき、分割防水扉１Ｌ，１Ｒを起立方向に付勢する初期起立補助手段４３と（図２）、所定の起立角度位置Ｃから起立位置Ｂまで分割防水扉１Ｌ，１Ｒを起立方向に付勢する図７に示す後期起立補助手段４４とを備えている。初期起立補助手段４３はガスダンパであり、図５に示すように１対のガスダンパ４３がヒンジ装置１０の両側に設けられている。ガスダンパ４３は、分割防水扉の基部１ａ側のピストンロッド先端４３ｂが可動ベース１２の後端部に揺動可能に連結され、分割防水扉の先端部１ｂ側の端部４３ｃがチャンネル材２６に揺動可能に連結されている。このガスダンパ４３は、分割防水扉１Ｌ，１Ｒの先端部１ｂを先端部１ｂ方向に付勢すると共に起立方向に付勢する。
【００２４】
後期起立補助手段４４は、所定の起立角度位置Ｃを超えた位置で分割防水扉１Ｌ，１Ｒの起立途中状態を維持可能な中間停止手段を兼ねている。この後期起立補助手段４４は、分割防水扉１Ｌ，１Ｒの止水幅方向両側に前板２ａ側でヒンジ装置１０に隣接して設けられている（図１）。図７に示すように、底板２ｃには固定ベース４５が夫々配設されている。各固定ベース４５には、一対の固定ブラケット４６が止水幅方向両側に対向して固定的に立設されている。一対の固定ブラケット４６間には、上ブラケット４７が配置されている。上ブラケット４７は、図８に示すように上壁４７ａに連続して両側に側壁４７ｂが屈曲形成されており、その側壁４７ｂと固定ブラケット４６とが、その基端部で支持軸４８により起倒方向に相対的に揺動可能に軸支されている。また、側壁４７ｂ，４７ｂ間には、下ブラケット４９が配置されている。下ブラケット４９は、図８に示すように下壁４９ａに連続して両側に側壁４９ｂが屈曲形成されており、両側の側壁４９ｂ，４９ｂの基端部で前記支持軸４８により、固定ブラケット４６に対して扉起倒方向に揺動可能に軸支してある。
【００２５】
上ブラケット４７の上壁４７ａと下ブラケット４９の下壁４９ａの間には、図７に示すように、起立補助用付勢部材５０が介装されている。起立補助用付勢部材５０はねじりコイルバネであり、その一端部が下ブラケット４９の下壁４９ａに当接して固着されており、他端部が上ブラケット４７の上壁４７ａに当接可能となっている。また、ねじりコイルバネ５０の他端部にはガイドバー５１が嵌合され、ガイドバー５１の先端にローラガイド５２を介してガイドローラ５３ａ，５３ｂが回動可能に設けられている。このガイドローラ５３ａ，５３ｂは、分割防水扉１Ｌ，１Ｒの背面に取り付けられた下方を開口した断面矩形に形成されたガイドレール５４の上案内面５４ａと一対の下案内面５４ｂを夫々転動可能となっており、ねじりコイルバネ５０はガイドローラ５３ａとガイドレール５４を介して分割防水扉１Ｌ，１Ｒに起立方向の付勢力を作用できるようになっている。
【００２６】
また、図７に示すように、固定ブラケット４６と上下ブラケット４７，４９との間には上下ブラケット４７，４９の揺動運動を制御する制御機構５５が介在してある。制御機構５５は、下ブラケット４９の側壁４９ｂに形成した長孔４９ｃと、上ブラケット４７の側壁４７ｂに形成した前記長孔４９ｃと略同様な形状で防水扉１の傾倒方向に開口する離脱開口部４７ｄを設けた係脱溝４７ｃと、固定ブラケット４６に形成した制御カム溝４６ａと、カムピン５６とから構成され、カムピン５６が係脱溝４７ｃと長孔４９ｃと制御カム溝４６ａとを挿通している。制御カム溝４６ａは、分離規制カム面４６ｂと固定カム部４６ｃと案内部カム４６ｄを備えており、分離規制カム面４６ｂは支持軸４８を中心とする円弧面に形成され、固定カム部４６ｃは分離規制カム面４６ｂに連続し分離規制カム面４６ｂより半径方向外側に向けて斜め上方に伸び、上下ブラケット４７，４９が所定の起立角度位置Ｃにあるとき係脱溝４７ｃと長孔４９ｃと略一致するように形成されている。また、案内部カム４６ｄは分離規制カム面４６ｂと対向し、固定カム部４６ｃと連続して形成されており、上下ブラケット４７，４９が所定の起立角度位置Ｃ近傍となるとカムピン５６を固定カム部４６ｃに向けて案内する。
【００２７】
分離規制カム面４６ｂは、分割防水扉１Ｌ，１Ｒが傾倒位置Ａから所定の起立角度位置Ｃまでにあるとき、カムピン５６が摺動可能であり、カムピン５６の上下ブラケット４７，４９先端方向（分割防水扉の先端部１ｂ側方向）への移動を規制し、カムピン５６を長孔４９ｃの下ブラケット４９基端部側と係脱溝４７ｃの上ブラケット４７基端部側の係合保持部４７ｅに位置させる。このカムピン５６が分離規制カム面４６ｂと係合保持部４７ｅとの間に位置するとき、図７に示すように、上ブラケット４７を下ブラケット４９に対する近接位置で一体に固定し、ねじりコイルバネ５０を上下ブラケット４７，４９間に圧縮状態で保持させる。
【００２８】
固定カム部４６ｃは、分割防水扉１Ｌ，１Ｒと一緒に上下ブラケット４７，４９が所定の起立角度位置Ｃに回動されるとき、カムピン５６が分離規制カム面４６ｂから案内部カム４６ｄで押されて固定カム部４６ｃに移動して嵌り込み、下ブラケット４９を固定ブラケット４６に分割防水扉１Ｌ，１Ｒの起立方向へ揺動不能に固定する。この固定カム部４６ｃにカムピン５６が嵌り込み、所定の起立角度位置Ｃを超えて分割防水扉１Ｌ，１Ｒが起立方向に回動されると、カムピン５６は上ブラケット４７の支持面４７ｆにより固定カム部４６ｃから下がることが規制される。このカムピン５６の固定カム部４６ｃと支持面４７ｆとによる移動の規制によって、分割防水扉１Ｌ，１Ｒに手動操作による力が加えられない限り、分割防水扉１Ｌ，１Ｒは所定の起立角度位置Ｃを超えてカムピン５６に支持面４７ｆが当接した位置で、分割防水扉１Ｌ，１Ｒは途中起立状態に維持され、後期起立補助手段４４が分割防水扉１Ｌ，１Ｒの中間停止手段として作用する。
【００２９】
また、所定の起立角度位置Ｃでカムピン５６は、係脱溝４７ｃの離脱開口部４７ｄに位置して上ブラケット４７の下ブラケット４９に対する固定を解除する（図９）。制御機構５５は上記のように分割防水扉１Ｌ，１Ｒが傾倒位置Ａから所定の起立角度位置Ｃに揺動するとき、上ブラケット４７を下ブラケット４９の近接位置に固定した状態としているので、上ブラケット４７は下案内面５４ｂがガイドローラ５３ｂに当接することでねじりコイルバネ５０を介して下ブラケット４９と一体に分割防水扉起立方向に揺動する。また、制御機構５５は所定の起立角度位置Ｃで上ブラケット４７の下ブラケット４９に対する固定を解除すると共に下ブラケット４９を固定ブラケット４６に固定するので、ねじりコイルバネ５０は圧縮状態が解除され分割防水扉１Ｌ，１Ｒに対して付勢力を付与することになる。
【００３０】
次に、連結部材５について説明する。連結部材５は、連結板５７とシール部材５８と係脱装置５９に含まれる係止部６０とからなる。連結板５７は、図１４に示すように、２枚の薄板を貼り合せ、連結部材５を分割防水扉１Ｌに装着した際の連結板５７の分割防水扉起立側端部を分割防水扉傾倒側に開口し、一方の分割防水扉１Ｌに取付けたとき対面するように矩形のシール保持部６１に止水幅方向対称に形成し、分割防水扉傾倒側端部を略Ｚ字形状の係止部取付片６２としてキーパー６３を固着して係止部６０とし、シール保持部６１と係止部６０間を連結板部６５としている。また、連結部材５は、連結部材５を分割防水扉１Ｌ，１Ｒに装着した際の分割防水扉縦方向の扉先端部側端に当接部６６が固着されている。当接部６６は、連結部材５の止水幅方向で連結部材５を取付ける一方の分割防水扉１Ｌ側を覆うと共に止水幅方向で他方の分割防水扉１Ｒ側のシール保持部６１を覆うように設けられている。
【００３１】
また、連結部材５は、連結部材５を装着した分割防水扉１Ｌ，１Ｒを図１２に示すように起立位置Ｂとしたとき、連結部材５が前板２ａと干渉しないようにシール保持部６１が略床面Ｆ上となるように分割防水扉縦方向の扉基部側端部分が切り欠かれており、その扉基部側端部分に断面Ｌ字形状の扉基部側シール保持部材６７が固着されて、扉基部側シール保持部材６７の短片６７ａがシール保持部６１の扉基部側端を塞ぎ、扉基部側シール保持部材６７の長片６７ｂと連結板部６５との間で扉基部側シール保持部６８を構成している。
【００３２】
止水幅方向両側の夫々のシール保持部６１には、図１４，１６に示すように、シール部材５８が備えられており、各シール部材５８はシール保持部６１の開口から分割防水扉傾倒側に突出している。扉基部側シール保持部６８には、図１３に示すように、扉基部側シール部材６９が備えられている。扉基部側シール部材６９は、連結板５７より扉基部１ａ側に突出し連結板部６５の両側に延びる突出シール部６９ａと、扉基部側シール保持部６８への取り付け部分が連結板部６５に対して両側に２つに分かれた分割シール部６９ｂとからなり、夫々の分割シール部６９ｂは対応する各シール部材５８と連続している。
【００３３】
次に、係脱装置５９について説明する。係脱装置５９は前記連結部材５の係止部６０と連結部材５が取付けられる一方の分割防水扉１Ｌに備えられた引掛部材７０とからなる。引掛部材７０は一方の分割防水扉１Ｌの他方の分割防水扉１Ｒに隣接する側の隣接側端部に扉縦方向適宜な位置に少なくとも１箇所（本実施例では２箇所）固着された取付フレーム７１にベース７２を固定し、ベース７２にラッチ金具７３とラッチレバー７４を揺動可能に設け、ラッチ金具７３を係止部６０に係止した状態でラッチレバー７４を防水扉傾倒方向に引き倒すことで連結部材５を防水扉傾倒方向に引き付け、一方の分割防水扉１Ｌに連結部材５を一体に装着する。このラッチレバー７４を引き倒した状態では、ラッチレバー７４は隣接側端部１ｃより内側に位置し、他方の分割防水扉１Ｒを起立した時、他方の分割防水扉１Ｒと干渉しない。
【００３４】
また、分割防水扉起立側の取付フレーム７１には、引掛部７５が固定されている。この引掛部７５には起立支持部材としてのチェーン７６の一端が連結されており、チェーン７６の他端は支持部材７に固定された下側引掛部７７に連結されている。このチェーン７６は、一方の分割防水扉１Ｌが起立位置Ｂから起立方向へ回動するのを阻止可能な長さに設定されており、一方の分割防水扉１Ｌの傾倒状態では収納凹部６に収納可能とされている。
【００３５】
次に、動作について説明する。先ず、一方の分割防止扉１Ｌを図１、図２に示す傾倒位置Ａから手動により所定の起立角度位置Ｃにはね起こすと、ヒンジ装置１０により、図３に示すように基部１ａが前板２ａの分割防水扉起立側面から離反した状態となり、図９に示すように、後期起立補助手段４４のカムピン５６が固定カム部４６ｃの半径方向外側に位置し、固定カム部４６ｃと長孔４９ｃとで形成される空間が半径方向内側に向かうにつれて小さくなっていることと、所定の起立角度位置Ｃを僅かに超えて起立方向に回動されることによる支持面４７ｆがカムピン５６に当接することにより、カムピン５６の移動が規制され、一方の分割防水扉１Ｌが略所定の起立角度位置Ｃで途中起立状態に維持される。
【００３６】
この一方の分割防水扉１Ｌの途中起立状態で、図１１に示すように、連結部材５が分割防水扉１Ｌの隣接側端部１ｃに分割防水扉１Ｌの先端部１ｂ側から挿入されて、当接部６６が隣接側端部１ｃの上端部に当接した状態で、係脱装置５９により装着される。これにより、一方の分割防水扉１Ｌの隣接側端部１ｃに圧接するシール部材５８，６９のシール面５８ａ，６９ｄが隣接側端部１ｃの分割防水扉起立側面に水密に圧着する。連結部材５を分割防水扉１Ｌに装着後、途中起立状態から更に起立させると、一方の分割防水扉１Ｌの基部１ａが前板２ａの分割防水扉起立側面に近接していき、起立位置Ｂとなると、一方の分割防水扉１Ｌの分割防水扉起立側面が下部シール部材３ｂと一方の垂直シール部材３ａとに当接し、扉基部側シール部材６９の突出部分６９ａと下部シール部材３ｂとが当接する。そして、ロック装置２０により一方の分割防水扉１Ｌがロックされると、分割防水扉起立側面と下部シール部材３ｂと一方の垂直シール部材３ａが水密に密着し、扉基部側シール部材６９の突出部分のシール面６９ｃの一方の分割防水扉側が下部シール部材３ｂに水密に密着する。また、このときチェーン７６が張架状態となる。
【００３７】
次に、他方の分割防水扉１Ｒが起立位置Ｂにはね起こされ、ロック装置２０によりロックされると他方の分割防水扉１Ｒの隣接側端部１ｄの分割防水扉起立側面が、シール部材５８，６９に水密に密着すると共に下部シール部材３ｂと他方の垂直シール部材３ａに水密に密着する。また、他方の分割防水扉１Ｒの押圧により、扉基部側シール部材６９のシール面６９ｃの他方の分割防水扉側と下部シール部材３ｂとが水密に密着する。これによって、夫々の分割防水扉１Ｌ，１Ｒに対応して、一方の分割防水扉側の垂直シール部材３ａと下部シール部材３ｂとシール部材５８と扉基部側シール部材６９の一方の分割防水扉側部分が連続し、他方の分割防水扉側の垂直シール部材３ａと下部シール部材３ｂとシール部材５８と扉基部側シール部材６９の他方の分割防水扉側部分が連続し、通行部を水密に塞ぐことになる。このとき、他方の分割防水扉１Ｒにより、一方の分割防水扉１Ｌの隣接側端部１ｃに起立方向に向けて回動しようとする力が作用するが、チェーン７６の張架により一方の分割防水扉１Ｌの隣接側端部１ｃの回動が阻止され、各分割防水扉１Ｌ，１Ｒとシール部材５８とを容易に確実に圧着できる。
【００３８】
次に、分割防水扉１Ｌ，１Ｒを傾倒する場合には、先ず他方の分割防水扉１Ｒを傾倒し、次に一方の防水扉１Ｌを所定の途中位置Ｃとして連結部材５を取り外した後、傾倒位置Ａとする。分割防水扉１Ｌ，１Ｒが傾倒位置Ａにあるとき、各分割防水扉１Ｌ，１Ｒの隣接側端部１ｃ，１ｄ間に間隙が形成されるが、この間隙は連結部材５の連結板部６５が横切れる寸法であり、連結板部５は薄板を貼り合せた厚さとなっているので、隣接側端部１ｃ，１ｄの間隙を小さくできる。尚、本実施例では、防水扉を２枚の分割防水扉で構成したが、３枚以上の分割防水扉で構成しても良く、また、手動により起倒する分割防水扉とモータやシリンダ等の駆動装置によって起倒する分割防水扉を組み合わせてもよい。
【図面の簡単な説明】
【００３９】
【図１】本願発明の防水扉装置の平面図である。
【図２】分割防水扉を傾倒位置とした時のヒンジと初期起立補助手段を示す側面図である。
【図３】分割防水扉を所定の起立角度位置とした時のヒンジと初期起立補助手段を示す側面図である。
【図４】分割防水扉を起立位置とした時のヒンジと初期起立補助手段を示す側面図である。
【図５】図２のＶ視図である。
【図６】図２のＶＩ−ＶＩ線断面図である。
【図７】後期起立補助手段の側面図である。
【図８】図７のＶＩＩＩ視図である。
【図９】分割防水扉を所定の起立角度位置とした時の後期起立補助手段を示す側面図である。
【図１０】分割防水扉を起立位置とした時の後期起立補助手段を示す側面図である。
【図１１】一方の分割防水扉への連結部材の取付けを示す側面図である。
【図１２】連結部材を取付けた状態で起立位置とした分割防水扉の側面図である。
【図１３】連結部材の側面図である。
【図１４】図１３のＸＩＶ―ＸＩＶ線断面図である。
【図１５】図１１のＸＶ視図である。
【図１６】図１２のＸＶＩ―ＸＶＩ線断面図である。
【図１７】下部シール部材と扉基部側シール部材の密着を示す説明図である。
【符号の説明】
【００４０】
１  防水扉
１ａ  基部
１Ｌ，１Ｒ  分割防水扉
５  連結部材
６  収納凹部
９  防水扉装置
１０  ヒンジ装置
４４  中間停止手段（後期起立補助手段）
５８  シール部材
５９  係脱装置
６０  係止部
６１  シール保持部
６５  連結板部
６６  当接部
７０  引掛部材
７３  ラッチ金具
７４  ラッチレバー
７５  引掛部
７６  チェーン（起立支持部材）
Ａ  傾倒位置
Ｂ  起立位置
Ｆ  床面
【図１】
2006265998.tif 000003
【図２】
2006265998.tif 000004
【図３】
2006265998.tif 000005
【図４】
2006265998.tif 000006
【図５】
2006265998.tif 000007
【図６】
2006265998.tif 000008
【図７】
2006265998.tif 000009
【図８】
2006265998.tif 000010
【図９】
2006265998.tif 000011
【図１０】
2006265998.tif 000012
【図１１】
2006265998.tif 000013
【図１２】
2006265998.tif 000014
【図１３】
2006265998.tif 000015
【図１４】
2006265998.tif 000016
【図１５】
2006265998.tif 000017
【図１６】
2006265998.tif 000018
【図１７】
2006265998.tif 000019